(57)【要約】      （修正有）【課題】右手用、左手用のいずれにもそのまま対応使用できるよう工夫することで使用者から右手用、左手用をその都度確認、選択する煩わしさを解消し、取り扱いきわめて便利な実用性に優れた新機構造のカウント式腕立て伏せ及びリスト捻り運動用具を提供する。【解決手段】台座にセンサー部２と一体化するカウンター３を装設すると共に該台座上にグリップ部４を架設一体化してなる回動体５を所要角度往復回動可能に嵌装支持させると共にセンサー部２にカウント信号を送信するマグネット６を回動体５におけるカウント基準位置７からの左右両回動方向の両所要角度に亘って弧状に配設し、グリップ部４を右手、左手のいずれで握持して左右いずれの方向に捻り回動させた場合にあってもセンサー部２がカウント信号を受信してカウンター３の回数を表示させるように構成したことを特徴とする。【選択図】図３
0003147500.tif 000002
【実用新案登録請求の範囲】
【請求項１】
台座１にセンサー部２と一体化するカウンター３を装設すると共に該台座１上にグリップ部４を架設一体化してなる回動体５を所要角度往復回動可能に嵌装支持させ、センサー部２にカウント信号を送信するマグネット６を回動体５におけるカウント基準位置７からの左右両回動方向の両所要角度に亘って弧状に配設し、グリップ部４を右手、左手のいずれで握持して左右いずれの方向に捻り回動させた場合にあってもセンサー部２がカウント信号を受信してカウンター３の回数を表示させるように構成したことを特徴とするカウント式腕立て伏せ及びリスト捻り運動用具。
【考案の詳細な説明】
【技術分野】
【０００１】
本考案は、腕立て伏せ運動にリストの捻り回動運動をも加えて腕立て伏せトレーニングしながらリストの強化をも図り得るトレーニング密度の高いカウント式腕立て伏せ及びリスト捻り運動用具に関するものである。
【背景技術】
【０００２】
腕立て伏せの上半身の上下運動をもって主に腕、肩等の上半身を鍛えることに加えて、その上半身の上下運動にリストの捻り回動をも伴なわせることで密度のきわめて高い効果的なトレーニングを実現することはきわめて有用である。
【特許文献１】特開平１０−７６０３５号公報
【０００３】
しかしながら、この種の腕立て伏せ及びリスト捻り運動用具にあっては、トレーニング密度が高い故もあって使用者の体調管理に資する等の上からも、腕立て伏せに伴なうリスト捻り回動の運動回数を容易に把握できるようにその運動回数を表示し得るカウンターを設けることが望まれる。
【０００４】
このような運動用具にあっては、右手用及び左手用の一対をセットとして商品企画するが、ここにおいて、カウンターを設けるのは、右手用及び左手用の双方である必要はなく、いずれかの一方でよく、その際の他方はカウンターを設けない従来タイプのもので事足りる。
【０００５】
ところで、カウンターを設けるに当たっては、右手と左手では捻り回動の方向が全く正反対となることから、勢い右手用か左手用かのいずれかをあらかじめ想定して設計し、製作することとならざるを得ない。それにより、カウンターを設けたものは必然的に右手用か左手用かを特定されることとなるから、使用者においては使用の都度いずれが左手用、右手用かをいちいち確認、選択する必要が生じ、使用時の煩わしさを招くという問題点があった。
【考案の開示】
【考案が解決しようとする課題】
【０００６】
本考案は、如上の問題点に鑑みてこれを解消すべく案出したものであって、カウント式腕立て伏せ及びリスト捻り運動用具において、右手用、左手用のいずれでもそのまま対応使用できるよう工夫することで、右手用、左手用をその都度確認、選択する煩わしさから使用者を開放することができるという取り扱いきわめて便利な実用性に優れた新機構造のカウント式腕立て伏せ及びリスト捻り運動用具を提供することを目的とするものである。
【課題を解決するための手段】
【０００７】
本考案に係るカウント式腕立て伏せ及びリスト捻り運動用具は、台座１にセンサー部２と一体化するカウンター３を装設すると共に該台座１上にグリップ部４を架設一体化してなる回動体５を所要角度往復回動可能に嵌装支持させると共にセンサー部２にカウント信号を送信するマグネット６を回動体５におけるカウント基準位置７からの左右両回動方向の両所要角度に亘って弧状に配設し、グリップ部４を右手、左手のいずれで握持して左右いずれの方向に捻り回動させた場合にあってもセンサー部２がカウント信号を受信してカウンター３の回数を表示させるように構成したことを最も主要な特徴とするものである。
【考案の効果】
【０００８】
本考案に係るカウント式腕立て伏せ及びリスト捻り運動用具は、センサー部２にカウント信号を送信するマグネット６を回動体５におけるカウント基準位置７からの左右両回動方向の両所要角度内に弧状に配設する手段によって、グリップ部４を右手、左手のいずれで握持して左右いずれの方向に捻り回動させた場合にあってもセンサー部２が前記マグネット６からのカウント信号を確実に受信してカウンター３の回数を表示させ得るように構成したものであるから、使用者は使用時に右手用、左手用をその都度確認、選択する煩わしさから開放されるものであって、取り扱いがきわめて便利となる優れた実用的効果を有する。
【考案を実施するための最良の形態】
【０００９】
本考案は、カウント式腕立て伏せ及びリスト捻り運動用具において、右手、左手のいずれにもそのまま対応使用できるように工夫することで使用者が使用の都度いずれが左手用、右手用かをいちいち確認、選択する煩わしさから開放され得る取り扱い便利なカウント式腕立て伏せ及びリスト捻り運動用具を実現したものである。
【実施例１】
【００１０】
本考案に係るカウント式腕立て伏せ及びリスト捻り運動用具は、台座１にセンサー部２と一体化したカウンター３を装設すると共に該台座１上にグリップ部４を架設一体化してなる回動体５を所要角度往復回動可能に嵌装支持させる。
【００１１】
そして、該回動体５には前記センサー部２にカウント信号を送信する適宜数のマグネット６をそのカウント基準位置７からの左右両回動方向の両所要角度に亘って弧状に配設する。
【００１２】
ここにおいてマグネット６のカウント基準位置７からの左右両回動方向の所要角度とは、図３に例示するように、カウント基準位置７から右回動方向側に４５度程度、同じく左回動方向側にも４５度程度にて両角度を加算してなる全９０度程度が最も好適である。
【００１３】
なお、上記のセンサー部２とこれに一体化するカウンター３とは、カウント基準位置７の近接対向位置に設定、配置される。図２中の８はリセットボタンである。
【００１４】
上記のように構成することによって、腕立て伏せ運動において、グリップ部４を右手、左手のいずれで握持して回動体５を左右いずれの方向に捻り回動させた場合にあっても、センサー部２はいずれの前記全９０度程度に亘る弧状に配設してなるマグネット６における各々の両外端が近接対向する位置に至る度毎にカウント信号を確実に受信して、カウンター３の回数を表示させることができる。
【００１５】
これによって、本考案に係るカウント式腕立て伏せ及びリスト捻り運動用具は、右手用、左手用のいずれにも有効に対応することが可能であって、そのまま使用することができ、右手、左手が全く正反対の捻り回動を行なおうとも、右手用、左手用のいずれとしても使用することができる。
【００１６】
以上の如き構成になる本考案に係るカウント式腕立て伏せ及びリスト捻り運動用具は、右手用、左手用をその使用の都度確認、選択する煩わしさから使用者を開放することができ、使用時の取り扱いがきわめて便利となって、実用的効果に優れるものである。
【図面の簡単な説明】
【００１７】
【図１】本考案に係る カウント式腕立て伏せ及びリスト捻り運動用具の実施例を示す正面図である。
【図２】同平面図である。
【図３】台座に装設したセンサー部に一体化するカウンターと可動体におけるマグネットとの配置関係を示す説明図である。
【符号の説明】
【００１８】
１    台座
２    センサー部
３    カウンター
４    グリップ部
５    回動体
６    マグネット
７    カウント基準位置
８    リセットボタン
【図１】
0003147500.tif 000003
【図２】
0003147500.tif 000004
【図３】
0003147500.tif 000005